(57)【要約】【課題】組み立てが容易であり、重量物の配置および地震時の耐久性のよい組立式棚付き収納ボックスを得る。【解決手段】本発明収納ボックス１における各側板４の片側表面には、裏板５の厚さ分だけ側板４より短い幅を有し、棚板６の側端縁を支持する複数個の横桟７ｂを等間隔に突設して縦方向に延在するベースａを有する棚板支持手段７を予め固着し、ベース７ａの上端縁および下端縁を、天板２の底面および底板３の上面における各側方端縁の近傍に設けた水平スリット８に圧入して仮止めする。さらに、側板４と裏板５との間の継ぎ目および棚板支持手段７を隠すよう、ボックス１の各コーナーに沿って縦方向に延在し、裏板５および棚板６に縦方向に形成したスリット９，１０に圧入するフランジ１１Ａ付きのＬ字状断面のコーナーステー１１と、頂面拘束カバー１２および底面拘束カバー１３とを備える。【選択図】図１
2009261775.tif 000002
【特許請求の範囲】
【請求項１】
天板、底板、１対の側板、裏板および棚板よりなる組立式棚付き収納ボックスにおいて、
天板、底板、および棚板の側端縁を支持する複数個の横桟を等間隔に突設して縦方向に延在するベースを有し、また裏板の厚さ分だけ側板より短い幅を有する棚板支持手段をそれぞれ片側表面に予め固着した１対の側板と、
前記１対の側板間に配置し、かつ前記棚板支持手段が存在しない部分に配置する裏板であって、前記横桟の遊端が位置する部分よりも若干内側の位置で裏面に縦方向に延びる１対の垂直スリットを設けた該裏板と、
前記側板の上端縁および下端縁に配置し、前記裏板に設けた１対の垂直スリットに整列する１対の垂直スリットを前方端縁および後方端縁にそれぞれ設けた天板および底板と、
前記裏板に設けた１対の垂直スリットに整列する１対の端縁スリットを少なくとも前方端縁に設けた棚板と、
前記天板および底板の各コーナーに沿って縦方向に延在し、前記裏板の垂直スリット、ならびに前記天板、前記底板、および前記棚板に設けた各端縁スリットに圧入するフランジを設けたＬ字状断面の垂直コーナーステーと、
前記ボックスの頂面および底面をカバーするとともに、少なくとも３方の周囲を拘束する金属製の頂面拘束カバーおよび底面拘束カバーと
を備えたことを特徴とする組立式棚付き収納ボックス。
【請求項２】
前記天板および底板は、組み付けた際に、前記側板および裏板の外側面に対して面一となる寸法を有し、前記棚板支持手段の上端縁および下端縁が圧入する水平スリットを内側面に設けた請求項１記載の組立式棚付き収納ボックス。
【請求項３】
前記天板および底板の外側面に設けた水平スリットおよび側板の外側面に設けた水平スリットのそれぞれに圧入するフランジ付きの水平コーナーステーにより、前記天板および底板を１対の側板に結合する構成とした請求項１または２記載の組立式棚付き収納ボックス。
【請求項４】
頂面拘束カバーおよび底面拘束カバーは、３方の周囲の側壁に内向き水平フランジを設け、この内向き水平フランジが前記側板および裏板に設けた水平スリットに圧入して、天板および底板を前記側板および裏板に結合する構成とした請求項１〜３のうちいずれか一項に記載の組立式棚付き収納ボックス。
【請求項５】
前記頂面拘束カバーと、このボックスを設置する壁面との間に、地震による振動を制限範囲内に許容するとともに規制する免震アタッチメントを取り付けた請求項１〜４のうちいずれか一項に記載の組立式棚付き収納ボックス。
【請求項６】
前記免震アタッチメントは、前記収納ボックスの頂面に固着するボックス固着プレートと、壁面に固着する壁面固着プレートとにより構成し、前記ボックス固着プレートの壁面に対向する端部にプレート平面に直交する断面Ｔ字状のフランジを設け、前記壁面固着プレートには、前記ボックス固着プレートのプレート面が通過できるが、前記断面Ｔ字状のフランジの抜けを防止しかつボックス固着プレートの横方向の摺動を可能にする溝孔を設けた構成とした請求項５記載の組立式棚付き収納ボックス。
【請求項７】
前記底面拘束カバーの底面と床面との間の若干の相対移動を可能にする免震手段を設けた請求項４〜６記載の組立式棚付き収納ボックス。
【請求項８】
前記免震手段を、前記底面拘束カバーの４個のコーナーに取り付けたボールキャスタと、前記床面に設置してボックスの移動を制限する規制枠部材とにより構成し、規制枠部材の底面には、ボールキャスタのボールが嵌合する窪みを設けた請求項７記載の組立式棚付き収納ボックス。
【請求項９】
前記免震手段として、前記規制枠部材の底面に粘着エラストマー製のマットまたはパッドを設けた請求項請７記載の組立式棚付き収納ボックス。
【請求項１０】
前記免震手段として、前記規制枠部材と前記収納ボックスの底板とを連結し、収納ボックスが規制枠部材からはみ出るのを防止する長さを有するロープ手段を設けた請求項８または９記載の組立式棚付き収納ボックス。
【請求項１１】
前記側板に取り付ける棚板支持手段は、ベースに所定個数の横桟を突設し、ベースの上側端縁および下側端縁のうち一方に凸部、他方に凹部を設けたモジュールを複数個使用し、順次凹凸を嵌合させつつ前記側板に縦方向に配列して取り付けるものとした請求項１〜１０記載の組立式棚付き収納ボックス。
【発明の詳細な説明】
【技術分野】
【０００１】
本発明は、天板、底板、１対の側板、裏板および棚板よりなる組立式棚付き収納ボックスに関する。
【背景技術】
【０００２】
このような組立式棚付き収納ボックスは、従来、ボルトをボルト孔に挿入して連結したり、タボをダボ孔に圧入して連結したり（例えば、特許文献１登録実用新案第３０６０１３７号参照）、ある板の溝孔に挿入した組み合わせるべき他の板に設けた突片と突片に設けた溝孔に挿入する楔部材により連結したり（例えば、特許文献２登録実用新案第３０６７２３６号参照）することが知られている。
【特許文献１】登録実用新案第３０６０１３７号公報
【特許文献２】登録実用新案第３０６７２３６号公報
【発明の開示】
【発明が解決しようとする課題】
【０００３】
従来のこのような組立式棚付き収納ボックスは、いちいち各ボルトをボルト孔に挿入したり、タボをダボ孔に圧入したりするため、組み立てが面倒であり、また、数個の点でのみの連結であるため、重量物を棚に配置したり、地震時の耐久性が悪く、倒れたり、崩壊したりし易いという問題があった。
【０００４】
したがって、本発明の課題は、組み立てが容易であり、重量物の配置および地震時の転倒防止が可能な組立式棚付き収納ボックスを得るにある。
【課題を解決するための手段】
【０００５】
この課題を達成するため、本発明は、天板、底板、１対の側板、裏板および棚板よりなる組立式棚付き収納ボックスにおいて、天板、底板、および棚板の側端縁を支持する複数個の横桟を等間隔に突設して縦方向に延在するベースを有し、また裏板の厚さ分だけ側板より短い幅を有する棚板支持手段をそれぞれ片側表面に予め固着した１対の側板と、前記１対の側板間に配置し、かつ前記棚板支持手段が存在しない部分に配置する裏板であって、前記横桟の遊端が位置する部分よりも若干内側の位置で裏面に縦方向に延びる１対の垂直スリットを設けた該裏板と、前記側板の上端縁および下端縁に配置し、前記裏板に設けた１対の垂直スリットに整列する１対の垂直スリットを前方端縁および後方端縁にそれぞれ設けた天板および底板と、前記裏板に設けた１対の垂直スリットに整列する１対の垂直スリットを少なくとも前方端縁に設けた棚板と、前記天板および底板の各コーナーに沿って縦方向に延在し、前記裏板、前記天板、前記底板、および前記棚板に設けた各スリットに圧入するフランジを設けたＬ字状断面の垂直コーナーステーと、前記ボックスの頂面および底面をカバーするとともに全周を拘束する金属製の頂面拘束カバーおよび底面拘束カバーとを備えたことを特徴とする。
【発明の効果】
【０００６】
本発明組立式棚付き収納ボックスによれば、横桟付きの棚板支持手段に天板および底板を固定し、棚板を横桟に挿入し、フランジ付きＬ字状断面の垂直コーナーステーのフランジを裏板、天板、底板、および棚板に設けた各垂直スリットに圧入させて垂直コーナーステーを各コーナーに取り付けることにより組み立て状態を仮保持し、最終的にボックスの頂面および底面をカバーする金属製の頂面拘束カバーおよび底面拘束カバーによりボックスの頂面および底面の全周を拘束することにより固定できるため、組み立てが容易であり、かつ重量物の収納や地震に対する耐久性に優れる。
【０００７】
さらに、本発明組立式棚付き収納ボックスによれば、複数個の横桟を等間隔に突設した棚板支持手段により、任意の高さに棚板を挿入できるため、収納する物品の高さに自由に配列でき、レイアウトを自由に変えることができ、ムダなくスペースを利用できる。
【発明を実施するための最良の形態】
【０００８】
天板および底板は、組み付けた際に、側板および裏板の外側面に対して面一となる寸法を有し、棚板支持手段の上端縁および下端縁が圧入する水平スリットを設ける。この構成によれば、頂面拘束カバーおよび底面拘束カバーで拘束する前の段階でのボックス仮固定が可能となり、組み立てが一層容易になる。
【０００９】
また、好適には、天板および底板の外側面に設けた水平スリットおよび側板の外側面に設けた水平スリットのそれぞれに圧入するフランジ付きの水平コーナーステーにより、天板および底板を１対の側板に結合する構成とする。この構成によれば、頂面拘束カバーおよび底面拘束カバーで拘束する前の段階でのボックス仮固定が一層堅固になる。
【００１０】
さらに好適には、頂面拘束カバーおよび底面拘束カバーは、３方の周囲の側壁に内向き水平フランジを設け、この内向き水平フランジが前記側板および裏板に設けた水平スリットに圧入して、天板および底板を前記側板および裏板に結合する構成とする。
【００１１】
この場合、頂面拘束カバーと、このボックスを設置する壁面との間に、地震による振動を制限範囲内に許容するとともに規制する免震アタッチメントを取り付ける。この構成によれば、一層地震に対する倒壊を防止することができる。
【００１２】
この免震アタッチメントは、前記収納ボックスの頂面に固着するボックス固着プレートと、壁面に固着する壁面固着プレートとにより構成し、ボックス固着プレートの壁面に対向する端部にプレート平面に直交する断面Ｔ字状のフランジを設け、壁面固着プレートには、前記ボックス固着プレートのプレート面が通過できるが、断面Ｔ字状のフランジの抜けを防止しかつボックス固着プレートの横方向の摺動を可能にする溝孔を設けた構成とすると好適である。
【００１３】
さらに、底面拘束カバーの底面と床面との間の若干の相対移動を可能にする免震手段を設けると好適であり、この免震手段を、前記底面拘束カバーに取り付けたボールキャスタと、前記床面に設置してボックスの移動を制限する規制枠部材とにより構成する、または粘着エラストマー製のマットとする。
【００１４】
つぎに、図面につき、本発明の好適な実施例を説明する。
【実施例】
【００１５】
本発明組立式棚付き収納ボックス１は、図１（ａ）に示すように、天板２、底板３、１対の側板４、裏板５および棚板６を有する。さらに、各側板４の片側表面には、それぞれ棚板支持手段７を設ける。図示の実施例の場合、棚板支持手段７は、例えばアルミ合金製とし、側板より長い縦方向長さを有し、好適には、かつ少なくとも裏板の厚さ分だけ側板よりも幅（横方向寸法）が短いベース７ａを有するものとする。棚板支持手段７のベース７ａには、縦方向長さに沿って棚の側端縁を支持する複数個の横桟７ｂを等間隔に突設する。
【００１６】
例えば、接着またはビスで側板に取り付ける棚板支持手段は、ベースに所定個数の横桟７ｂを突設し、ベースの上側端縁および下側端縁のうち一方に凸部、他方に凹部を設けたモジュールを複数個使用し、順次凹凸を嵌合させつつ前記側板に縦方向に配列して取り付けるものとすると、任意の縦方向（高さ）寸法の側板に適合させるのが容易になる。
【００１７】
このベース７は側板４の片側表面に沿って予め固着しておき、側板から上方および下方にはみ出るベース７ａの上端縁および下端縁を、天板２の底面および底板３の上面における各側方端縁の近傍に設けた水平スリット８に圧入する。このように側板に固定した棚板支持手段７のベース７ａによって左右１対の側板を互いに連結する天板２および底板３間に裏板５を挟み込む。裏板５は、１対の側板４間に挟み込む寸法とする。一方、天板２および底板３は、棚板支持手段７のベース７ａの上端縁および下端縁に圧入する天板２と底板３と間に挟み込む側板４および裏板５の外面に面一となる寸法を有するものとする。
【００１８】
さらに、本発明組立式棚付き収納ボックス１は、前面側における棚板支持手段７，７ａ、後面側における側板４と裏板５との間の継ぎ目を隠すよう、またボックスを仮止めするよう、ボックス１の各コーナーに沿って縦方向に延在し、裏板５に縦方向に形成した垂直スリット９（図１（ｂ）参照）、または棚板６に厚さ方向に形成した端縁スリット１０に圧入する内向きフランジ１１Ａおよび側板４に形成した垂直スリット９´に圧入する内向きフランジ１１Ｂを設けたＬ字状断面の垂直コーナーステー１１（図２参照）を有する。この垂直コーナーステー１１は、例えばアルミ合金またはステンレススチールなどの金属製とする。
【００１９】
本発明組立式棚付き収納ボックス１は、さらにまた、図２に示すように、ボックス１の頂面および底面をカバーするとともに、少なくとも３方の周囲を拘束する頂面拘束カバー１２および底面拘束カバー１３を設け、ボックスを一層強固に結束する。好適には、さらに、天板２および底板３に貫通し、側板５および裏板５の端縁にいたるまで頂面拘束カバー１２および底面拘束カバー１３にねじ込む固定手段を設ける。この固定手段は、例えば、天板２および底板３に設けた貫通孔、ならびに側板５および裏板５の端縁の端縁に埋設したナット手段、例えば、鬼目ナットにねじ込むボルトとすると好適であるが、他の固定手段とすることもできる。
【００２０】
他の固定手段として、図１に示すように、天板２および底板３の外側面に設けた水平スリットおよび側板４の外側面に設けた水平スリットのそれぞれに圧入するフランジ付きの水平コーナーステー２２により、天板２および底板３を１対の側板４に結合する構成とすると、ボルト‐ナット、またはビス等が不要であり、組立体が一層簡単になる。この水平コーナーステー２２も、やはり例えばアルミ合金またはステンレススチールなどの金属製とする。
【００２１】
さらに、頂面拘束カバー１２および底面拘束カバー１３は、３方の周囲の側壁に内向き水平フランジ２３を設け、この内向き水平フランジが前記側板および裏板に設けた水平スリット２４に圧入して、天板２および底板３を側板４および裏板５に結合する構成とすると、ビスを必要とせずボックスを組み立てることができ、好適である。
【００２２】
好適には、頂面拘束カバー１２と、このボックスを設置する壁面との間に、地震による振動を制限範囲内に許容するとともに規制する免震アタッチメント１４を取り付ける。
【００２３】
この免震アタッチメント１４としては、図２の頂部および図３に示すように、収納ボックス１の頂面に固着する、好適には先細形状としたボックス固着プレート１５と、例えばビス等により壁面に固着する壁面固着プレート１６とにより構成する。ボックス固着プレート１５には、収納ボックス１の頂面にビス止めするための長孔１５ａを設ける。またボックス固着プレート１５には、壁面に対向する端部にプレート平面対して直交する断面Ｔ字状のフランジ１５ｂを設ける。一方、壁面固着プレート１６には、ボックス固着プレート１５のプレート面が通過できるが、断面Ｔ字状のフランジ１５ｂの抜けを防止しかつボックス固着プレート１５の横方向の摺動を可能にする溝孔１６ａを設ける。この免震アタッチメント１４により、組立式棚付き収納ボックス１は、このボックスを設置する壁面に対して、地震のゆれがきた場合、制限範囲内で移動可能に固定することで、倒壊を防止することができる。長孔１５ａの周縁にはゴム等のエラストマー材料で縁取りすると、きしみ音が発生せず、また制振効果も得られて好適である。
【００２４】
さらに、好適には、図２に示すように、底面拘束カバー１３の底面と床面との間の若干の相対移動を可能にする免震手段１７を設ける。この免震手段１７としては、底面拘束カバー１３に取り付けたボールキャスタ１８と、床面に設置してボックスの移動を制限する規制枠部材１９とにより構成する。規制枠部材１９の底面には、ボールキャスタのボールが嵌合する窪み２０を設ける。
【００２５】
さらに、免震手段としては、ボールキャスタ１８の代わりに底面拘束カバー１３の底面に直接配置した、または規制枠部材１９の底面に配置した粘着エラストマー製のマットまたはパッド２１とすることもできる。また、免震手段として、図示しないが、規制枠部材１９と収納ボックス１の底板３とを連結し、収納ボックス１が規制枠部材１９からはみ出るのを防止する長さを有するロープ手段を設けることもできる。
【産業上の利用可能性】
【００２６】
本発明組立式棚付き収納ボックスは、種々の物品をレイアウトが自由に収納することができ、また組み立てが簡単かつ堅牢性が高く、地震による倒壊を回避可能なボックスとして利用できる。
【図面の簡単な説明】
【００２７】
【図１】（ａ）は、収納ボックス本体の前面から見た斜視図、（ｂ）は裏面から見た斜視図である。
【図２】図１に示す収納ボックス本体に組み付ける、コーナーステー、頂面拘束カバーおよび底面拘束カバー、ならびに底板側の免震手段（ボールキャスターおよび規制枠部材）を示す分解斜視図である。
【図３】天板側の免震アタッチメントの分解斜視図である。
【符号の説明】
【００２８】
１  棚付き収納ボックス
２  天板
３  底板
４  側板
５  裏板
６  棚板
７  棚板支持手段
７ａ  ベース
７ｂ  横桟
８  （天板／底板の）水平スリット
９  （裏板の）垂直スリット
１０  （棚板および天板／底板の）端縁スリット
１１  （Ｌ字状断面の）垂直コーナーステー
１１Ａ  コーナーステーのフランジ
１２  頂面拘束カバー
１３  底面拘束カバー
１４  免震アタッチメント
１５  ボックス固着プレート
１５ａ  長孔
１５ｂ  （断面Ｔ字状の）フランジ
１６  壁面固着プレート
１６ａ  溝孔
１７  免震手段
１８  ボールキャスタ
１９  規制枠部材
２０  窪み
２１  粘着エラストマー製のマットまたはパッド
２２  水平コーナーステー
２３  内向き水平フランジ
２４  水平スリット
【図１】
2009261775.tif 000003
【図２】
2009261775.tif 000004
【図３】
2009261775.tif 000005